(57)【要約】【課題】組み立て時に各側壁間の係合状態が強固になり、一方、簡単な動作で各側壁間の係合状態を解除して折り畳むことが可能な折り畳みコンテナの提供。【解決手段】側壁のうち対向する２枚の第１側壁のそれぞれに、両端近傍にテーパ状斜面を持つくびれ部を有するスライド体が伸縮可能に取り付けられ、第１側壁以外の２枚の第２側壁の側端には、第１側壁の側端と係合する第１ロック部と、スライド体のくびれ部を挟持する一対の挟持突片からなる第２ロック部とが設けられ、第１ロック部と第２ロック部とは、スライド体が側端から突出する方向に移動する際に、挟持突片がくびれ部のテーパ状斜面を摺動しながら押し広げられてスライド体との係合が解除され、且つ第１ロック部は突出したスライド体の先端に押圧されて第１側壁の側端との係合が解除されるように構成されたことを特徴とする折り畳みコンテナ。【選択図】図１
2008150051.tif 000002
【特許請求の範囲】
【請求項１】
四辺形をなす底部と、該底部の各辺にヒンジ部を介して連結された４つの側壁とを有し、これら４つの側壁を底部から立ち上げてそれぞれの側端同士を係合して箱状に組み立て可能であり、且つ前記側端同士の係合を解除して底部に側壁を重ねるようにして折り畳むことが可能な折り畳みコンテナにおいて、
前記側壁のうち対向する２枚の第１側壁のそれぞれに、両端近傍にテーパ状斜面を持つくびれ部を有するスライド体が、その両端部を該第１側壁の側端から所定長さ突出させる係合解除位置と、該両端部を前記係合解除位置よりも後退させる係合位置との間を伸縮可能に取り付けられ、
前記２枚の第１側壁以外の２枚の第２側壁の側端には、前記係合位置にあるスライド体の先端に一部が当接又は近接した状態で前記第１側壁の側端と係合する第１ロック部と、前記係合位置にあるスライド体の前記くびれ部を挟持する一対の挟持突片からなる第２ロック部とが設けられ、
前記第１ロック部と第２ロック部とは、前記スライド体が前記係合位置から前記係合解除位置まで移動する際に、前記第２ロック部の挟持突片が前記くびれ部のテーパ状斜面を摺動しながら押し広げられて前記スライド体との係合が解除され、且つ前記第１ロック部は突出した前記スライド体の先端に押圧されて前記第１側壁の側端との係合が解除されるように構成されたことを特徴とする折り畳みコンテナ。
【請求項２】
前記スライド体が、前記第１側壁の両側端を結ぶ第１側壁長さの略半分の長さを持つ２本一対のスライド部品と、これらのスライド部品を同時に伸縮方向に移動させる操作レバーとを有することを特徴とする請求項１に記載の折り畳みコンテナ。
【請求項３】
前記スライド部品の前記くびれ部と反対側の端部に湾曲部が形成され、該湾曲部に係止部が設けられ、前記操作レバーは、２つの湾曲部が対向配置された領域に回動可能に取り付けられるとともに、該操作レバーに前記係止部が係止されてなることを特徴とする請求項２に記載の折り畳みコンテナ。
【請求項４】
前記第１側壁に、前記スライド部品を前記係合解除位置から前記係合位置に向けて付勢する付勢部材が設けられたことを特徴とする請求項２又は３に記載の折り畳みコンテナ。
【発明の詳細な説明】
【技術分野】
【０００１】
本発明は、四辺形をなす底部と、該底部の各辺にヒンジ部を介して連結された４つの側壁とを有し、これら４つの側壁を底部から立ち上げてそれぞれの側端同士を係合して箱状に組み立て可能であり、且つ底部に側壁を重ねるようにして折り畳むことが可能な折り畳みコンテナに関し、特に、組み立て時に各側壁間の係合状態が強固になり、一方、簡単な動作で各側壁間の係合状態を解除して折り畳むことが可能な折り畳みコンテナに関する。この折り畳みコンテナは、各種の物品の保管、輸送用の容器などとして使用される。
【背景技術】
【０００２】
従来、折り畳みコンテナに関しては、例えば、特許文献１，２に開示された技術が提案されている。
【０００３】
特許文献１には、底部と底部にヒンジ部材を介して連結された４つの側壁を有するとともに、底部に側壁を重ねるようにして折り畳むことが可能な折り畳みコンテナーにおいて、折り畳み状態から最初に立てられる側壁には、後から立てられる側壁が当接可能な係止弾性片を形成するとともに、後から立てられる側壁の外壁面には、前記係止弾性片を、後から立てられる側壁から外れるように押圧するロック解除部材を配設した折り畳みコンテナーが開示されている。
【０００４】
特許文献２には、底部と底部にヒンジ部材を介して連結された４つの側壁を有するとともに、底部に側壁を重ねるようにして折り畳むことが可能な折り畳みコンテナーにおいて、折り畳み状態から最初に立てられる側壁には、後から立てられる側壁が当接可能な係止弾性片を形成するとともに、後から立てられる側壁の外壁面に形成されたロック解除部材収納領域の左右領域には、それぞれ、前記係止弾性片を押圧するロック解除本体と操作部を有するロック解除操作体とからなるロック解除部材を、前記操作部が相対するように配設し、前記ロック解除部材の操作部を、互いに、接近する方向に移動させることにより、ワンタッチ動作により、最初に立てられる側壁と後から立てられる側壁とのロック状態を解除するようにした折り畳みコンテナーが開示されている。
【特許文献１】特開２００２−２４０８２２号公報
【特許文献２】特開２００３−１６５５３６号公報
【発明の開示】
【発明が解決しようとする課題】
【０００５】
しかしながら、前述した従来技術にあっては、隣接した側壁間を係合するロック機構が、ねじれ方向の力に弱く、側壁にねじれ方向の力が加わると、ロック機構が不用意に解除され、側壁が倒れてしまう可能性があった。
【０００６】
本発明は、前記事情に鑑みてなされ、組み立て時に各側壁間の係合状態が強固になり、一方、簡単な動作で各側壁間の係合状態を解除して折り畳むことが可能な折り畳みコンテナの提供を目的とする。
【課題を解決するための手段】
【０００７】
前記目的を達成するために、本発明は、四辺形をなす底部と、該底部の各辺にヒンジ部を介して連結された４つの側壁とを有し、これら４つの側壁を底部から立ち上げてそれぞれの側端同士を係合して箱状に組み立て可能であり、且つ前記側端同士の係合を解除して底部に側壁を重ねるようにして折り畳むことが可能な折り畳みコンテナにおいて、
前記側壁のうち対向する２枚の第１側壁のそれぞれに、両端近傍にテーパ状斜面を持つくびれ部を有するスライド体が、その両端部を該第１側壁の側端から所定長さ突出させる係合解除位置と、該両端部を前記係合解除位置よりも後退させる係合位置との間を伸縮可能に取り付けられ、
前記２枚の第１側壁以外の２枚の第２側壁の側端には、前記係合位置にあるスライド体の先端に一部が当接又は近接した状態で前記第１側壁の側端と係合する第１ロック部と、前記係合位置にあるスライド体の前記くびれ部を挟持する一対の挟持突片からなる第２ロック部とが設けられ、
前記第１ロック部と第２ロック部とは、前記スライド体が前記係合位置から前記係合解除位置まで移動する際に、前記第２ロック部の挟持突片が前記くびれ部のテーパ状斜面を摺動しながら押し広げられて前記スライド体との係合が解除され、且つ前記第１ロック部は突出した前記スライド体の先端に押圧されて前記第１側壁の側端との係合が解除されるように構成されたことを特徴とする折り畳みコンテナを提供する。
【０００８】
本発明の折り畳みコンテナにおいて、前記スライド体が、前記第１側壁の両側端を結ぶ第１側壁長さの略半分の長さを持つ２本一対のスライド部品と、これらのスライド部品を同時に伸縮方向に移動させる操作レバーとを有することが好ましい。
【０００９】
本発明の折り畳みコンテナにおいて、前記スライド部品の前記くびれ部と反対側の端部に湾曲部が形成され、該湾曲部に係止部が設けられ、前記操作レバーは、２つの湾曲部が対向配置された領域に回動可能に取り付けられるとともに、該操作レバーに前記係止部が係止されてなることが好ましい。
【００１０】
本発明の折り畳みコンテナにおいて、前記第１側壁に、前記スライド部品を前記係合解除位置から前記係合位置に向けて付勢する付勢部材が設けられたことが好ましい。
【発明の効果】
【００１１】
本発明の折り畳みコンテナは、第１ロック部と第２ロック部とでコンテナ角部を形成する第１側壁と第２側壁の側端同士を係合する構成としたので、組み立て時に各側壁間の係合状態が強固になり、特に、ねじれに対しても強くなり、コンテナ側壁にねじれ方向の力が加わった場合でも側壁が倒れ難い折り畳みコンテナを提供することができる。
また、第１側壁に設けたスライド体を、ワンタッチ操作で伸縮させて第１ロック部と第２ロック部の係合を解除できるので、簡単な動作で各側壁間の係合状態を解除して折り畳むことが可能となる。
【発明を実施するための最良の形態】
【００１２】
以下、図面を参照して本発明の実施形態を説明する。
図１は、本発明の折り畳みコンテナの一実施形態を示す斜視図である。本実施形態の折り畳みコンテナ１は、四辺形をなす底部２と、該底部２の各辺にヒンジ部３を介して連結された４つの側壁４ａ〜４ｄとを有し、これら４つの側壁４ａ〜４ｄを底部から立ち上げてそれぞれの側端同士を係合して箱状に組み立て可能であり、且つ前記側端同士の係合を解除し、底部２に側壁４ａ〜４ｄを重ねるようにして折り畳むことが可能な構造になっている。
【００１３】
この折り畳みコンテナ１の４つの側壁４ａ〜４ｄのうち、対向する２枚の第１側壁４ａ，４ｂのそれぞれには、両端近傍にテーパ状斜面５を持つくびれ部６を有するスライド体７が、その両端部を該第１側壁４ａ，４ｂの側端から所定長さ突出させる係合解除位置と、該両端部を前記係合解除位置よりも後退させる係合位置との間を伸縮可能に取り付けられている。
【００１４】
また、２枚の第１側壁４ａ，４ｂ以外の２枚の第２側壁４ｃ，４ｄの側端には、前記係合位置にあるスライド体７の先端に一部が当接又は近接した状態で前記第１側壁４ａ，４ｂの側端と係合する第１ロック部８と、前記係合位置にあるスライド体７の前記くびれ部６を挟持する一対の挟持突片９ａ，９ｂからなる第２ロック部１０とが設けられている。
【００１５】
前記第１ロック部８と第２ロック部１０とは、前記スライド体が前記係合位置から前記係合解除位置まで移動する際に、前記第２ロック部の挟持突片が前記くびれ部のテーパ状斜面を摺動しながら押し広げられて前記スライド体との係合が解除され、且つ前記第１ロック部は突出した前記スライド体の先端に押圧されて前記第１側壁の側端との係合が解除されるように構成されている。
【００１６】
本実施形態の折り畳みコンテナ１において、前記スライド体７は、第１側壁４ａ，４ｂの両側端を結ぶ第１側壁長さの略半分の長さを持つ２本一対のスライド部品１１ａ，１１ｂと、これらのスライド部品１１ａ，１１ｂを同時に伸縮方向に移動させる操作レバー１２とから構成されている。
【００１７】
図２は、操作レバー１２の一例を示す図であり、（ａ）は操作レバー１２の平面図、（ｂ）は正面図、（ｃ）は底面図、（ｄ）は側面図、（ｅ）は（ａ）中のＡ−Ａ断面図である。本例の操作レバー１２は、円形カップ状をなす基部から長方形状の操作部が突出した逆ｑ字状をなしている。この基部の内面側には、中心部を囲んで係止突片１３が突出形成され、またその外周部分には、２つの係止ピン１４が対向して突出形成されている。
【００１８】
図３は、一方のスライド部品１１ａを示す図であり、（ａ）はスライド部品１１ａの正面図、（ｂ）は平面図である。本例においてスライド部品１１ａは、厚板で形成され、くびれ部６と反対側の端部には湾曲部１５が形成され、また湾曲部１５には係止部となる係止孔１６が設けられている。
【００１９】
図４は、本発明に用いるスライド体の一例として、２本一対のスライド部品１１ａ，１１ｂと、図２に示す操作レバー１２とからなるスライド体７を例示する図である。２本一対のスライド部品１１ａ，１１ｂは、それぞれの湾曲部１５を側壁中央に向けて対向配置し、くびれ部６を側端に向けて配置されている。操作レバー１２は、２つの湾曲部１１５が対向配置された領域に回動可能に取り付けられるとともに、操作レバー１２の係止ピン１４が湾曲部１５の係止孔１６に嵌入されている。
【００２０】
図５は、側壁４ａの中央に操作レバー１２を取り付けた状態を示し、（ａ）は操作レバー１２取り付け前の状態を示す断面図、（ｂ）は操作レバー１２取り付け状態を示す断面図である。第１側壁４ａのコンテナ外面側中央には、操作レバー１２取り付け用の係止爪１７が突出形成されている。この操作レバー１２は、係止ピン１４をスライド部品１１ａ，１１ｂの係止孔１６に嵌入した状態で、第１側壁４ａの係止爪１７に係止突片１３を圧入することにより取り付ける。図５（ｂ）に示す取り付け状態にあっては、操作レバー１２の操作部を上下動させることで、基部が係止爪１７を軸として回動可能に取り付けられている。なお、図示していないが、各スライド部品１１ａ，１１ｂは、第１側壁４ａの外面側に設けられた複数の支持枠等によって側壁長さ方向に沿って摺動可能に取り付けられている。
【００２１】
図６は、本例によるスライド体７の動作を説明する図である。前述したように、操作レバー１２は、係止ピン１４をスライド部品１１ａ，１１ｂの係止孔１６に嵌入した状態で、側壁４ａの係止爪１７に回動可能に取り付けられている。この状態で、操作レバー１２の操作部を下げると、操作レバー１２の基部が反時計方向に回り、これに伴ってスライド部品１１ａ，１１ｂは、先端部が第１側壁４ａの側端から突出する方向に摺動する。スライド部品１１ａ，１１ｂの摺動範囲は、先端部が第１側壁４ａの側端から所定長さ突出した係合解除位置と、該両端部を前記係合解除位置よりも後退させる係合位置との間になっている。
【００２２】
本発明の折り畳みコンテナ１において、第１側壁４ａ，４ｂには、前記スライド部品１１ａ，１１ｂを係合解除位置から係合位置に向けて付勢する付勢部材を設けることが好ましい。この付勢部材は前記機能を有していれば、その種類や配置位置は特に限定されず、周知のバネ等を用いることができる。
【００２３】
なお、本実施形態の折り畳みコンテナ１の構成材料は特に限定されないが、前述した各構成要素の全部又は主要部を合成樹脂によって形成することが好ましい。この合成樹脂としては、ポリエチレン系樹脂、ポリプロピレン系樹脂、ポリスチレン系樹脂、ポリエチレンテレフタレート系樹脂、ポリアミド系樹脂、ＡＢＳ樹脂、ＡＳ樹脂などの熱可塑性樹脂が好ましい。
【００２４】
図７は、第２側壁４ｃの要部の構造を示す図であり、（ａ）は第２側壁４ｃの側端部の平面図、（ｂ）は側面図である。本実施形態の折り畳みコンテナ１において、第２側壁４ｃの側端には、係合位置にあるスライド体７の先端に一部が当接又は近接した状態で前記第１側壁４ａの側端と係合する第１ロック部８と、係合位置にあるスライド部品１１ａのくびれ部６を挟持する一対の挟持突片９ａ，９ｂからなる第２ロック部１０とが設けられている。
【００２５】
図７（ａ）に示す例において、第１ロック部８は、第２側壁４ｃの側端から略直角方向に延出した複数の第２側壁側係合部を備えている。一方、第１側壁４ａの側端には、前記第２側壁側係合部と係合する第１側壁側係合部が対応する位置に設けられている。これらの第２側壁側係合部と第１側壁側係合部との係合構造は、係合位置において第１ロック部８に当接又は接近しているスライド部品１１ａの先端が、係合解除位置に移動して第１ロック部８を押圧した時に、係合状態が解除される構造を有していればよく、従来より当該分野などで周知の各種係合構造の中から適宜選択して採用することができる。例えば、第２側壁側係合部を凹部又は凸部とし、第１側壁側係合部を前記凹部又は凸部と嵌合可能な凸部又は凹部とする係合構造、第２側壁側係合部を穴又は貫通孔とし、第１側壁側係合部を該穴又は貫通孔に嵌入可能な複数の突片とする係合構造などが挙げられる。
【００２６】
図７（ａ）に示す例において、第２ロック部１０は、係合位置にあるスライド部品１１ａのくびれ部６に対応した位置にある第１ロック部８の先端部から、第２側壁４ｃの長さ方向に向けて突出した２つの挟持突片９ａ，９ｂとからなっている。これらの挟持突片９ａ，９ｂは、スライド部品１１ａのくびれ部６の幅と略等しい間隔を隔てて立設され、且つスライド部品１１ａのテーパ状斜面５がそれらの間を摺動する際に先端部が広がるように弾性変形するような強度に設計されている。また、これらの挟持突片９ａ，９ｂの先端部には、スライド部品１１ａのくびれ部６と係合する突起１８が設けられている。
【００２７】
図８は、第１側壁４ａの概略構造を示す図であり、（ａ）は正面図、（ｂ）は平面図、（ｃ）は左側面図、（ｄ）は右側面図である。この第１側壁４ａの側端には、スライド部品１１ａの先端部が設けられるスライド部品支持部１９が設けられている。また、第１側壁４ａの前記第１ロック部８及び第２ロック部１０の係合位置と対応する位置には、長さ方向に沿ってスライド部品１１ａが挿入される挿通孔２１が設けられている。さらに、第２ロック部１０の挟持突片９ａ，９ｂに対応する領域には、これらの挟持突片９ａ，９ｂを挿入してスライド部品１１ａのくびれ部６と係合させるための切欠２０が設けられている。
【００２８】
図９は、第１側壁４ａと第２側壁４ｃとのそれぞれの側端を合わせ、前記第１ロック部８及び第２ロック部１０によって各側壁同士を係合させた状態を示す図であり、（ａ）はコンテナ角部の平面図、（ｂ）は側面図である。図９（ａ）に示す係合状態において、スライド部品１１ａは係合位置にあり、その先端は第２側壁４ｃの第１ロック部８の一部に当接又は接近した位置にある。また第２ロック部１０の挟持突片９ａ，９ｂは、スライド部品１１ａのくびれ部６を挟持している。
【００２９】
図９に示す係合状態にあっては、第１ロック部８によって第１側壁４ａと第２側壁４ｃとの側端部に設けられたそれぞれの係合部同士が係合している。この第１ロック部８による係合構造は、従来周知の折り畳みコンテナにおける係合構造と同様であり、側壁にねじれ方向の力が加わった際に外れて側壁が倒れる可能性がある。本実施形態の折り畳みコンテナ１は、前記第１ロック部８による係合構造に加え、第２ロック部１０による係合を行うことによって、側壁にねじれ方向の力が加わった場合でも、側壁同士の係合が外れ難くなっている。
【００３０】
すなわち、この第２ロック部１０は、第１側壁４ａの外面側から第２側壁４ｃに設けた２つの挟持突片９ａ，９ｂを第１側壁４ａの内側に挿入し、これらの挟持突片９ａ，９ｂによってスライド部品１１ａのくびれ部６を挟持する係合構造になっている。このような係合構造を採用することで、第１側壁４ａと第２側壁４ｃとの側端同士の係合において、側壁にねじれが加わった場合でも、挟持突片９ａ，９ｂによってスライド部品１１ａのくびれ部６を挟持していることで、側壁のねじれ変形が抑制される。その結果、４つの側壁を立ててその側端同士を係合した組み立て状態の本実施形態のコンテナは、側壁にねじれ方向の力が加わった場合でも、側壁同士の係合が外れ難くなり、物品の搬送時などで側壁が外れて倒れてしまう不具合を防止することができる。なお、図９においては第１側壁４ａの一方の側端のみを示しているが、これらのロック部による係合は、第１側壁４ａの両側で同時に行われる。
【００３１】
図１０は、スライド体７を作動させ、第１ロック部８と第２ロック部１０との係合を一度に解除する状態を説明する図であり、（ａ）はスライド部品１１ａ及び各ロック部の動きを示す概略図、（ｂ）はコンテナ角部の平面図、（ｃ）は側面図である。本実施形態の折り畳みコンテナ１において、第１ロック部８及び第２ロック部１０の係合を解除し、各側壁４ａ〜４ｄを折り畳む場合、図６に示すように、第１側壁４ａ，４ｂに取り付けられた操作レバー１２の操作部を押し下げる簡単な動作によって、それぞれの第１側壁４ａ，４ｂの両側端の係合を解除することができる。なお、図１０においては第１側壁４ａの一方の側端のみを示しているが、これらのロック部の係合解除は、第１側壁４ａの両側で同時に行われる。
【００３２】
スライド体７は、操作レバー１２の押し下げ動作により、２本一対のスライド部品１１ａ，１１ｂが同時に側端方向に移動し、それぞれのスライド部品１１ａ，１１ｂの先端が側端から係合解除位置まで突出する。図１０（ａ）に示すように、スライド部品１１ａの先端が係合解除位置に移動すると、スライド部品１１ａの先端が第２側壁４ｃの第１ロック部８を押圧し、且つ第２ロック部１０の２つの挟持突片９ａ，９ｂ間に、くびれ部６から幅寸法が漸次増加するテーパ状斜面５が圧入し、挟持突片９ａ，９ｂが広げられ、図１０（ｃ）に示すように、第２ロック部１０の係合が解除される。
【００３３】
スライド部品１１ａの先端が第２側壁４ｃの第１ロック部８を押圧すると、図１０（ｂ）に示すように、第１ロック部８による係合が解除され、第１側壁４ａの側端と第２側壁４ｃの側端とが分離可能になる。
【００３４】
このように、本実施形態の折り畳みコンテナ１は、第１ロック部８と第２ロック部１０とでコンテナ角部を形成する第１側壁４ａ，４ｂと第２側壁４ｃ，４ｄの側端同士を係合する構成としたので、組み立て時に各側壁間の係合状態が強固になり、特に、ねじれに対しても強くなり、コンテナ側壁にねじれ方向の力が加わった場合でも側壁４ａ〜４ｄが倒れ難い折り畳みコンテナ１を提供することができる。
また、第１側壁４ａ，４ｂに設けたスライド体７を、ワンタッチ操作で伸縮させて第１ロック部８と第２ロック部１０の係合を解除できるので、簡単な動作で各側壁間の係合状態を解除して折り畳むことが可能となる。
【００３５】
図１１は、本実施形態の折り畳みコンテナ１において、底部２の各辺と４つの側壁４ａ〜４ｄとを連結するヒンジ部３の一例を示す図であり、（ａ）は側壁４ａ〜４ｄの下端に設けたヒンジ凸部２２を示す正面図、（ｂ）は同部の側面図、（ｃ）は底部２側のヒンジ穴２３を示す正面図、（ｄ）は同部のＢ−Ｂ断面図、（ｅ）はヒンジ穴２３にヒンジ凸部２２を装着したヒンジ部３の正面図、（ｆ）は同部の側面図、（ｇ）はヒンジ部３の動きを示す側面図である。本例示によるヒンジ部３は、図１１（ａ），（ｂ）に示すように、側壁４ａ〜４ｄの下端に一対の突片からなるヒンジ凸部２２を１つ以上設け、底部２の各辺には、これらのヒンジ凸部２２と対応する位置に、このヒンジ凸部２２が回動可能に嵌合されるヒンジ穴２３を１つ以上設け、それぞれのヒンジ穴２３に側壁４ａ〜４ｄのヒンジ凸部２２を嵌合させた構造になっている。
【００３６】
図１２は、本実施形態の折り畳みコンテナ１を折り畳んだ状態を示す図である。本例示では、第１ロック部８と第２ロック部１０の係合を解除した側壁４ａ〜４ｄのうち、第１側壁４ａ，４ｂを折り畳んで底部２上に重ね、次に第２側壁４ｃ，４ｄを重ねる折り畳み構造になっている。
【００３７】
なお、前述した実施形態は、本発明の例示に過ぎず、本発明は前記実施形態に限定されるものではなく、種々の修正又は変更が可能であることは言うまでもない。
【図面の簡単な説明】
【００３８】
【図１】本発明の折り畳みコンテナの一実施形態を示す斜視図である。
【図２】同じ実施形態の折り畳みコンテナに用いた操作レバーの一例を示し、（ａ）は操作レバー１２の平面図、（ｂ）は正面図、（ｃ）は底面図、（ｄ）は側面図、（ｅ）は（ａ）中のＡ−Ａ断面図である。
【図３】同じ実施形態の折り畳みコンテナに用いたスライド部品の一例を示し、（ａ）は正面図、（ｂ）は平面図である。
【図４】同じ実施形態の折り畳みコンテナに用いたスライド体の一例を示す正面図である。
【図５】側壁の中央に操作レバーを取り付けた状態を示し、（ａ）は操作レバー取り付け前の状態を示す断面図、（ｂ）は操作レバー取り付け状態を示す断面図である。
【図６】本例によるスライド体の動作を説明する正面図である。
【図７】同じ実施形態の折り畳みコンテナにおける第２側壁の要部の構造を示し、（ａ）は第２側壁の側端部の平面図、（ｂ）は側面図である。
【図８】同じ実施形態の折り畳みコンテナにおける第１側壁の要部の構造を示し、（ａ）は正面図、（ｂ）は平面図、（ｃ）は左側面図、（ｄ）は右側面図である。
【図９】同じ実施形態の折り畳みコンテナの角部を示し、（ａ）は平面図、（ｂ）は側面図である。
【図１０】同じ実施形態の折り畳みコンテナにおいてスライド体を作動させ、第１ロック部と第２ロック部との係合を一度に解除する状態を説明する図であり、（ａ）はスライド部品及び各ロック部の動きを示す概略図、（ｂ）はコンテナ角部の平面図、（ｃ）は側面図である。
【図１１】同じ実施形態の折り畳みコンテナに用いたヒンジ部の一例を示し、（ａ）は側壁の下端に設けたヒンジ凸部を示す正面図、（ｂ）は同部の側面図、（ｃ）は底部側のヒンジ穴を示す正面図、（ｄ）は同部のＢ−Ｂ断面図、（ｅ）はヒンジ穴にヒンジ凸部を装着したヒンジ部の正面図、（ｆ）は同部の側面図、（ｇ）はヒンジ部の動きを示す側面図である。
【図１２】同じ実施形態の折り畳みコンテナを折り畳んだ状態を示す側面図である。
【符号の説明】
【００３９】
１…折り畳みコンテナ、２…底部、３…ヒンジ部、４ａ，４ｂ…第１側壁、４ｃ，４ｄ…第２側壁、５…テーパ状斜面、６…くびれ部、７…スライド体、８…第１ロック部、９ａ，９ｂ…挟持突片、１０…第２ロック部、１１ａ，１１ｂ…スライド部品、１２…操作レバー、１３…係止突片、１４…係止ピン、１５…湾曲部、１６…係止孔（係止部）、１７…係止爪、１８…突起、１９…スライド部品支持部、２０…切欠、２１…挿通孔、２２…ヒンジ凸部、２３…ヒンジ穴。
【図１】
2008150051.tif 000003
【図２】
2008150051.tif 000004
【図３】
2008150051.tif 000005
【図４】
2008150051.tif 000006
【図５】
2008150051.tif 000007
【図６】
2008150051.tif 000008
【図７】
2008150051.tif 000009
【図８】
2008150051.tif 000010
【図９】
2008150051.tif 000011
【図１０】
2008150051.tif 000012
【図１１】
2008150051.tif 000013
【図１２】
2008150051.tif 000014